(57)【特許請求の範囲】
【請求項１】
プラント監視制御システムの表示装置であって、
前記表示装置は、表示画面を生成する描画データを記憶する記憶部と、
前記描画データを処理し、前記表示画面を作成して表示させる表示処理部と、
を備え、
前記描画データは、表示する複数の表示オブジェクトから成る表示オブジェクトファイルと、前記表示オブジェクトと前記プラント監視制御システムで監視制御するデータに付与するタグ番号とを対応付けした表示オブジェクト・タグ番号対応テーブルと、前記表示画面に表示する複数の前記表示オブジェクトの表示位置とその表示サイズとを指定するための複数のグリッドパターンを記憶するグリッドパターンファイルと、
前記グリッドパターン上にレイアウトして、前記表示画面に表示させる前記表示オブジェクト及び前記タグ番号の表示位置と表示サイズとを指定する表示オブジェクト・グループテーブルと、
予め作成された前記表示画面に対して、次に、優先的に表示させる前記表示オブジェクトを指定する表示オブジェクト優先表示テーブルと、
で構成され、
前記表示処理部は、指定された前記グリッドパターンを前記記憶部から抽出して表示し、
さらに、前記表示オブジェクトファイルから指定された前記表示オブジェクトを抽出し、抽出した前記グリッドパターン上に指定された前記表示オブジェクトを重ねて表示して、指定された表示位置と表示サイズとを求め、
さらに、前記表示オブジェクト・タグ番号対応テーブルを参照して、指定された前記表示オブジェクトと対応付けて表示する前記タグ番号の表示位置と表示サイズとを求め、
前記表示オブジェクトと前記タグ番号とを前記表示画面に表示させるとともに、当該表示画面に対応する前記表示オブジェクト・グループテーブルを作成し、
さらに、前記表示オブジェクト優先表示テーブルを起動して、表示された前記表示画面の空きスペースを求め、
前記前記表示オブジェクト優先表示テーブルに記載された表示オブジェクトが表示可能な場合、対応する前記表示オブジェクト・グループテーブルに書き込み、前記表示オブジェクト・グループテーブルを更新するとともに、更新された前記表示オブジェクト・グループテーブルに対応する前記表示画面を表示
するようにしたことを特徴とするプラント監視制御システムの表示装置。
【請求項２】
プラント監視制御システムの表示装置の表示画面の作成方法であって、
前記表示装置は、表示画面を生成する描画データを記憶する記憶部と、
前記描画データを処理し、前記表示画面を作成して表示させる表示処理部と、
を備え、
前記描画データは、表示するオブジェクトの表示オブジェクトファイルと、
前記表示オブジェクトと前記プラント監視制御システムで監視制御するデータに付与するタグ番号とを対応付けした表示オブジェクト・タグ番号対応テーブルと、
前記表示画面に表示する複数の前記表示オブジェクトの表示位置とその表示サイズとを指定するための複数のグリッドパターンを記憶するグリッドパターンファイルと、
前記グリッドパターン上にレイアウトして、前記表示画面に表示させる前記表示オブジェクト及び前記タグ番号の表示位置と表示サイズとを指定する表示オブジェクト・グループテーブルと、
予め作成された前記表示画面に対して、次に、優先的に表示させる前記表示オブジェクトを指定する表示オブジェクト優先表示テーブルと、
で構成され、
前記グリッドパターンから指定するサイズのグリッドパターンを抽出して表示させるステップと、
前記表示オブジェクトファイルから指定する前記表示オブジェクトを抽出し、前記グリッドパターン上に重ねて表示させ、前記表示オブジェクトの表示位置と表示サイズとを指定するステップと、
前記表示オブジェクト・タグ番号対応テーブルを参照して、表示させた前記表示オブジェクトと対応付けて表示させる前記タグ番号の表示位置と表示サイズとを指定するステップと、
指定された前記表示オブジェクトと前記タグ番号とを前記表示画面に表示させるとともに、当該表示画面に対応する前記表示オブジェクト・グループテーブルを作成するステップと、
前記表示オブジェクト優先表示テーブルを起動して、表示された前記表示画面の空きスペースを求め、
前記前記表示オブジェクト優先表示テーブルに記載された表示オブジェクトが表示可能な場合、対応する前記表示オブジェクト・グループテーブルに書き込み、前記表示オブジェクト・グループテーブルを更新するとともに、更新された前記表示オブジェクト・グループテーブルに対応する前記表示画面を表示するステップと、
を備えたことを特徴とするプラント監視制御システムの表示装置の表示画面の作成方法。
【発明の詳細な説明】
【技術分野】
【０００１】
本発明は、プラント監視制御システムの表示装置、及びその表示画面の作成方法に関する。
【背景技術】
【０００２】
プラントの監視制御を行うプラント監視制御システムには、監視制御する監視制御情報を表示する表示装置を備えている。この表示装置で表示する表示画面は、監視・制御しているシステム系統の全体、及び一部の監視制御状態を１つの画面にして、システムの運転者に分かりやすく表示するものである。
【０００３】
従来の表示画面は、各種の表示オブジェクト予め登録しておき、その表示オブジェクトを適宜組み合わせて画面を作成することで構成される。
【０００４】
例えば、図１２は、タンクの水位を制御しているプラントの監視制御画面で、その表示オブジェクトは、図１２（ａ）に示す、予め登録されたタンク内の水位の監視制御システムの構成全体を示すグラフィックオブジェクトと、図１２（ｂ）に示す、水位のトレンドデータオブジェクト、及び、図１２（ｃ）に示す、水位を制御する計器オブジェクトから成る。
【０００５】
そして、この水位制御システムで監視制御するデータは、タグ番号として、夫々の表示オブジェクトに対応付けして予め登録しておき、例えば、タンクの水位は、タグ番号１「８８．００ｍ」の様に文字表示し、水位の上限設定値は、タグ番号２「ＰＨ９０．００ｍ」のように文字表示する。
【０００６】
また、タンクの水位データ等の時系列データは、トレンドデータとして図１３（ｂ）のグラフのように表示し、タンクに流入する流量を制御する制御機器の設定値や、非制御量はタグ番号３に示すように文字表示したり、バーグラフとして表示させたりして、夫々の表示オブジェクトに関連付けして、予め登録しておく。
【０００７】
これらのタグ番号で指定されるデータは、表示画面の文字や、所定の位置をクリックしてデータの表示を要求し、要求されたタグ番号のデータが対応するプロセス監視制御システムから送信される。
【０００８】
例えば、図１２（ｃ）に示す計器画面においては、先ず、予め定めるａ点をクリックして計器画面を表示させ、さらに、計器画面に表記されるタグ番号３をクリックすると、バータグが表示されたり、そのトレンドデータが表示されたりする。
【０００９】
このようなプラント監視制御システムの表示画面には、グラフィック画面、トレンド画面、計器画面を有するプラントの総合計装オペレータステーションにおいて、画面作成をユーザに開放するため、トレンド画面と計器画面のいずれか一方を表示単位画面とし、製品開発や、画面毎の作成の自由度が高まるとされる技術が開示されている（例えば、特許文献１参照。）。
【００１０】
また、プラント監視装置において、描画データを予め記憶して置き、予め設定されるスケーリングの指示に基づいて、縮尺により描画が崩れない計器図のビットマップを選択するとともに、フォントを選択して、描画データに対して縮尺計算を行う表示処理部を備え、監視画面に、複数の計器図の大きさを自由に設定できるようにした計器図表示装置が開示されている（例えば、特許文献２参照。）。
【先行技術文献】
【特許文献】
【００１１】
【特許文献１】特開平１１−１７５２２１号公報
【特許文献２】特許第３３５０９２３号公報
【発明の概要】
【発明が解決しようとする課題】
【００１２】
しかしながら、上述した特許文献には、複数の異なる表示オブジェクトのサイズと表示位置とを任意に、且つ、容易に設定できる表示装置について、これを示唆する技術や記述は開示されていない。
【００１３】
例えば、図１３に示すように、図１２に示した複数の表示画面を１つの画面として作成する場合、複数の表示オブジェクトと表示データの表示位置や表示サイズを都度変更して、図や文字の重なりを適宜処理する必要がある。
【００１４】
このような画像処理は、システムの規模が大きくなり、多数の監視画面を備える場合においては、新規に監視画面を作成する場合だけでなく、システムの変更の場合の監視画面の作製においても、多大の手間が掛かかり、その品質を確保することが負担となっていた。
【００１５】
本発明は上記問題点を解決するためになされたもので、プラントの監視制御を行うプラント監視制御システムの監視制御情報を表示する表示装置において、監視制御情報を表示する表示画面の制作と、保守とが容易に行えるプラント監視制御システムの表示装置を提供することを目的とする。
【課題を解決するための手段】
【００１６】
上記目的を達成するために、本発明によるプラント監視制御システムの表示装置は、プラント監視制御システムの表示装置であって、前記表示装置は、表示画面を生成する描画データを記憶する記憶部と、前記描画データを処理し、前記表示画面を作成して表示させる表示処理部と、を備え、前記描画データは、表示する複数の表示オブジェクトから成る表示オブジェクトファイルと、前記表示オブジェクトと前記プラント監視制御システムで監視制御するデータに付与するタグ番号とを対応付けした表示オブジェクト・タグ番号対応テーブルと、前記表示画面に表示する複数の前記表示オブジェクトの表示位置とその表示サイズとを指定するための複数のグリッドパターンを記憶するグリッドパターンファイルと、前記グリッドパターン上にレイアウトして、前記表示画面に表示させる前記表示オブジェクト及び前記タグ番号の表示位置と表示サイズとを指定する表示オブジェクト・グループテーブルと、予め作成された前記表示画面に対して、次に、優先的に表示させる前記表示オブジェクトを指定する表示オブジェクト優先表示テーブルと、で構成され、前記表示処理部は、指定された前記グリッドパターンを前記記憶部から抽出して表示し、さらに、前記表示オブジェクトファイルから指定された前記表示オブジェクトを抽出し、抽出した前記グリッドパターン上に指定された前記表示オブジェクトを重ねて表示して、指定された表示位置と表示サイズとを求め、さらに、前記表示オブジェクト・タグ番号対応テーブルを参照して、指定された前記表示オブジェクトと対応付けて表示する前記タグ番号の表示位置と表示サイズとを求め、前記表示オブジェクトと前記タグ番号とを前記表示画面に表示させるとともに、当該表示画面に対応する前記表示オブジェクト・グループテーブルを作成し、
さらに、前記表示オブジェクト優先表示テーブルを起動して、表示された前記表示画面の空きスペースを求め、前記前記表示オブジェクト優先表示テーブルに記載された表示オブジェクトが表示可能な場合、対応する前記表示オブジェクト・グループテーブルに書き込み、前記表示オブジェクト・グループテーブルを更新するとともに、更新された前記表示オブジェクト・グループテーブルに対応する前記表示画面を表示するようにしたことを特徴とする。
【００１７】
上記目的を達成するために、本発明によるプラント監視制御システムの表示装置の表示画面の作成方法は、プラント監視制御システムの表示装置の表示画面の作成方法であって、前記表示装置は、表示画面を生成する描画データを記憶する記憶部と、前記描画データを処理し、前記表示画面を作成して表示させる表示処理部と、を備え、前記描画データは、表示するオブジェクトの表示オブジェクトファイルと、前記表示オブジェクト前記プラント監視制御システムで監視制御するデータに付与するタグ番号とを対応付けした表示オブジェクト・タグ番号対応テーブルと、前記表示画面に表示する複数の前記表示オブジェクトの表示位置とその表示サイズとを指定するための複数のグリッドパターンを記憶するグリッドパターンファイルと、前記グリッドパターン上にレイアウトして、前記表示画面に表示させる前記表示オブジェクト及び前記タグ番号の表示位置と表示サイズとを指定する表示オブジェクト・グループテーブルと、で構成され、前記グリッドパターンから指定するサイズのグリッドパターンを抽出して表示させるステップと、前記表示オブジェクトファイルから指定する前記表示オブジェクトを抽出し、前記グリッドパターン上に重ねて表示させ、前記表示オブジェクトの表示位置と表示サイズとを指定するステップと、前記表示オブジェクト・タグ番号対応テーブルを参照して、表示させた前記表示オブジェクトと対応付けて表示させる前記タグ番号の表示位置と表示サイズとを指定するステップと、指定された前記表示オブジェクトと前記タグ番号とを前記表示画面に表示させるとともに、当該表示画面に対応する前記表示オブジェクト・グループテーブルを作成するステップと、前記表示オブジェクト優先表示テーブルを起動して、表示された前記表示画面の空きスペースを求め、前記前記表示オブジェクト優先表示テーブルに記載された表示オブジェクトが表示可能な場合、対応する前記表示オブジェクト・グループテーブルに書き込み、前記表示オブジェクト・グループテーブルを更新するとともに、更新された前記表示オブジェクト・グループテーブルに対応する前記表示画面を表示するステップと、を備えたことを特徴とする。
【発明の効果】
【００１８】
本発明によれば、プラントの監視制御を行うプラント監視制御システムの監視制御情報を表示する表示装置において、監視制御情報を表示する表示画面の制作と、保守とが容易に行えるプラント監視制御システムの表示装置を提供することができる。
【図面の簡単な説明】
【００１９】
【図１】本発明のプラント監視制御システム及び表示装置の構成図。
【図２】記憶部に備えるファイル及びテーブルの構成図。
【図３】実施例１のグリッドパターンの例。
【図４】実施例１の表示オブジェクト・タグ対応テーブルの例。
【図５】実施例１の初期画面を作成する場合の表示装置の動作フロー図。
【図６】実施例１の画面変更をする場合の表示装置の動作フロー図。
【図７】実施例１で作成された表示画面の例。
【図８】実施例１の表示オブジェクト・グループテーブルの例。
【図９】実施例２の表示オブジェクト優先表示テーブルの例。
【図１０】実施例２の表示装置の動作フロー図。
【図１１】実施例２の表示オブジェクト・グループテーブルの例。
【図１２】従来の監視制御システムの表示画面。
【図１３】従来の監視制御システムの表示画面の作成時の問題点を説明する図。
【発明を実施するための形態】
【００２０】
以下、本発明の実施例について図面を参照して説明する。
【実施例１】
【００２１】
図１乃至図８を参照して、実施例１を説明する。図１は、実施例１のプラント監視制御システム１００とその表示装置２の構成を説明する図である。図１において、実施例１のプラント監視制御システム１００の構成は、制御対象であるプラント３の監視制御装置１とその表示装置２とからなり、表示装置２は、表示する描画データを記憶する記憶部２２と、描画データ及び監視制御装置１の監視制御データとから監視制御する表示画面を生成する表示処理部２１とを備える。
【００２２】
次に、図２を参照して、記憶部２２に記憶しておく描画データの詳細について説明する。描画データは、表示画面に表示する複数の表示オブジェクトの表示位置とその表示サイズ（以後、サイズと大きさとは同義語とし使用する）とを指定するための複数のグリッドパターンを記憶するグリッドパターンファイル２２ａと、複数の表示オブジェクトから成る表示オブジェクトファイル２２ｂと、表示オブジェクトに対して、プラント監視制御システム１００で監視制御するデータに付与するタグ番号とを対応付けした表示オブジェクト・タグ番号対応テーブル２２ｃと、グリッドパターン上にレイアウトして、表示画面に表示させる表示オブジェクト、及びタグ番号の表示位置と表示サイズとを指定する表示オブジェクト・グループテーブル２２ｄとで構成される。
【００２３】
次に、これらの描画データを使用して表示画面を生成する表示処理部２１は、記憶部２２に備える描画データと、監視制御装置１で生成しタグ番号と対応付けられる監視制御データとを処理する処理部２１ａと、その操作端末である操作部２１ｂと、処理部２１ａで生成した描画データを表示させる表示部２１ｃとを備える。
【００２４】
次に、記憶部２２に記憶されるファイル，テーブルの詳細について説明する。図３は、グリッドパターンの一例で、図３（ａ）は均等サイズの８区画からなる格子状パターンを示し、図３（ｂ）は、２行×８列の１６区画からなる格子状パターンを示す。
【００２５】
このグリッドパターンは表示画面の背景にグリッド線として表示するもので、そのサイズは、表示部２１ｃの表示画面の表示分解能（縦×横）に対応する。
【００２６】
このグリッドパターンの１区画は、予め記憶される表示オブジェクトの位置と大きさとを指定する最小区画（画面）となる。
【００２７】
そのため、表示画面に表示される表示オブジェクトは、グリッドパターン上に表示させる区画の分解能とその表示位置が指定されると、処理部２１ａでは、表示画面の縦横、夫々について、縮小、または拡大処理を行って表示させる。
【００２８】
したがって、表示オブジェクトファイル２２ｂは、表示オブジェクト毎に、どのような分解能とサイズで記憶しておくかを予め設定してファイルしておき、また、グリッドパターンファイル２２ａは、グリッドパターンの区画数を表示部２１ｃの異なる解像度の表示画面に対応できるように、予め複数用意しておくことが望ましい。
【００２９】
また、表示オブジェクトの分解能は、各種の表示分解能に対応できるものを用意しておき、指定された大きさに圧縮して表示させるようにしておく。
【００３０】
また、表示オブジェクトの種類は、一般に、図１２で説明したように、プラント監視制御システムが監視制御するプラントの系統を示すグラフックオブジェクト、プラント監視制御システムの制御装置を示す計器オブジェクト、及びこの制御装置が監視制御するデータを示す文字、バーグラフ、及びデータのトレンドを示すトレンドオブジェクトから構成される。
【００３１】
尚、監視制御する各種のデータは、タグ番号と対応付けられ文字やバーグラフ、トレンドグラフ等で表示される。
【００３２】
次に、図４を参照して、表示オブジェクト・タグ番号対応テーブル２２ｃについて、説明する。表示オブジェクト・タグ番号対応テーブル２２ｃは、予め記憶部２２に記憶された、表示オブジェクトとその表示オブジェクトに対応付けて登録されたタグ番号の一覧をテーブルとして記述したもので、名称や、文字数は適宜設定できる。
【００３３】
最初の表示画面を作成する場合、図示しない画面メニューからこの表示オブジェクト・タグ番号対応テーブル２２ｃ選択して、表示させたい表示オブジェクトを指定する場合に使用する。このテーブルは、図４（ａ）グラフィック、図４（ｂ）トレンドのように、表オブジェクトの種類単位のテーブルとしても良い。
【００３４】
次に、図５乃至図８を参照し、グリッドパターンを使用して表示画面を作成し、この表示画面に対応する表示オブジェクト・グループテーブル２ｄを作成する場合の表示装置２の動作について説明する。
【００３５】
先ず、図１２で説明したようなグラフィック、トレンド、計器の３つの表示オブジェックを、図３（ｂ）に示す１６区画のグリッドパターンを使用して、図７に示す状態にレイアウトされた表示画面を生成する場合について、表示装置２の動作を図５のフロー図を参照して説明する。
【００３６】
先ず、図示しない複数のグリッドパターンメニューから１６区画のグリッドパターンを選択して表示させる（ｓ１）。
【００３７】
次に、対象となるプラントの図示しない表示オブジェクトのメニューからグラフィックオブジェクトを選択してグリッドパターン上に重ねて表示させる。この処理は、処理部２１ａにおいて、作成者が操作部２１ｂを操作し、処理部２１ａが指定されたグラフィックオブジェクトを記憶部２２から抽出し、処理部２１ａに備える表示バッファメモリに一時記憶し、さらに、一時記憶した画像データを表示部２１ｃのフレームメモリに転送し、フレーム信号として表示画面に表示する。
【００３８】
この時、表示されたグラフィックオブジェクトの表示位置は、予め設定した画面の位置で、表示されたサイズは、予め記憶された表示オブジェクトの分解能で、または、予め設定された初期分解能に変換して表示される。
【００３９】
この時、表示される表示オブジェクトの分解能は、選択した表示オブジェクトの内容が視認できる分解能のものであれば良い。
【００４０】
次に、この表示されたグラフィックオブジェクトの表示位置とサイズを表示グリッドパターン上で指定して再表示させる。この表示位置と表示サイズの指定方法は種々可能であるが、例えば、図７に示すようにグリッドパターンの２角（点Ｐ１、点Ｐ２）を指定する方法でも良い（ｓ２）。
【００４１】
すると、処理部２１ａは、指定された表示位置と指定された表示サイズとから、表示オブジェクトの画像の圧縮変換を行い、表示バッファメモリに一時記憶する（ｓ３）。
【００４２】
この縮尺率は、表示（分解能）サイズ／記憶部２２に予め記憶した元（分解能）サイズで、表示画像の縦横で、夫々の異なる縮尺率となる場合もある。通常、表示画面の分解能が不足しないように、元画像サイズを高分解能で記憶しておくが、そうでない場合には拡大される場合もある。
【００４３】
そして、圧縮画像は、グリットパターンで指定されたサイズの画面サイズで表示される。表示された画面のサイズ、位置を視認して、良ければ、次の処理に移るが、そうでなければさらにその表示位置とサイズとを変更する（ｓ４）。
【００４４】
次に、このグラフィックオブジェクトに対応するデータ、即ち、タグ番号を設定する。例えば、図７のタグ番号Ｌ００を選択して、水位の上限値を設定する（ｓ６）。設定されたタグ番号は、アクティブ状態となり、例えば、監視制御装置１からのデータを受信すれば表示できる状態となる。
【００４５】
このタグ番号による監視制御データの表示状態の設定は、全ての表示オブジェクトを設定した後、まとめて設定するようにしても良い。
【００４６】
１つの表示オブジェクトの設定が完了すると、次の表示オブジェクトの設定に移る。全ての表示の設定が完了し、さらにそのレイアウトを変更したい場合には、この表示位置とサイズの設定操作を繰り返し（ｓ２〜ｓ８）、その結果、図７に示すような適切にレイアウトされた表示画面の作成が完了する。
【００４７】
次に、この表示画面の登録を指令すると、表示バッファメモリに一時記憶した図７の表示画面から、図８に示すような表示オブジェクト・グループテーブルを生成し、記憶部２２に記憶する（ｓ８）。
【００４８】
次に、この表示オブジェクト・グループテーブルについて、図８を参照して説明する。
【００４９】
この表示オブジェクト・グループテーブルの各列は、複数の表示画面についてグループ名称、及びそのグリッドパターン区画数を付して表示し、各行は、夫々のグループ名称（画面）毎のグリッドパターン区画数毎の仕様を記述し、複数の表示画面を一覧表にして記述するものである。
【００５０】
作成されたグレープ名称毎の表示画面は、この表示オブジェクト・グループテーブルとして登録することが出来る。登録されたグループテーブルは、そのグループ名称を指定して、表示部２１ｃに画面表示させることが出来る。
【００５１】
また、後述するように、最初にこの表示オブジェクト・グループテーブルの１つのグループ名称の各列の仕様を作成して、表示画面を作成することも出来る。
【００５２】
次に、この表示オブジェクト・グループテーブルの記述例について説明する。例えば、１６区画のグリッドパターンを使用したグループ２の表示画面においては、区画数、１６区画（縦×横＝２×８）、その先頭の区画１には、大きさ：２×１区画で、表示オブジェクト名称＝タンクレベルＡ、タグ番号＝Ｌ００が記述されている。
【００５３】
また、区画２には、大きさ：２×４区画で、表示オブジェクト名称＝タンクＢ、タグ番号＝なしが記述されている。
【００５４】
以下同様にして、最終の区画１６には、大きさ：１×１区画で、ブジェクト名称＝計器、タグ番号３＝Ｆ１２１１が記述される。
【００５５】
即ち、複数の区画に跨って表示させる表示オブジェックトは、その先頭の区画に表示する大きさを指定することで、図７に示すような表示オブジェクトの表示位置と表示サイズとが、さらに、夫々の表示オブジェクトに対応するタグ番号の仕様が設定できる。
【００５６】
次に、図６を参照して、予め設定された表示オブジェクト・グループテーブルの１つのグループの表示画面を変更する場合の動作について説明する。
【００５７】
先ず、表示オブジェクト・グループテーブルを参照して、変更するグループを表示画面に表示させる（ｓ１１）。
【００５８】
次に、変更したい１つのグループについて、対象の表示オブジェクトについてその区画サイズと位置との変更値を記述する（ｓ１２）。
【００５９】
次に、変更した表示オブジェクト・グループテーブルを指定して、その縮尺演算と表示位置の変更を行い表示画面に表示させる（ｓ１３、ｓ１４）。その結果、表示された画面の良否を視認し、さらに変更する場合は同様の操作を繰り返す（ｓ１２〜ｓ１５）。
【００６０】
ここで、変更した表示画面について、そのタグ番号の設定を変更したい場合には、タグ番号を指定して、設定を変更する（ｓ１６、ｓ１７）。さらに、全ての変更が完了したら、その表示オブジェクト・グループテーブルを更新する（ｓ１８）。
【００６１】
以上説明したように、本実施例の表示装置２は、指定されたグリッドパターンを記憶部２から抽出して表示し、その上に表示オブジェクトファイルから指定された表示オブジェクトを抽出して表示オブジェクトを重ねて表示して、指定された表示位置と表示サイズとを求め、さらに、表示オブジェクト・タグ番号対応テーブルを参照して、表示オブジェクトと対応付けて表示するタグ番号の表示位置と表示サイズとを求める。
【００６２】
そして、表示示オブジェクトとタグ番号とを表示画面に表示させるとともに、表示画面に対応する表示オブジェクト・グループテーブルを作成するようにした。
【００６３】
また、作成された表示画面を変更する場合、この表示オブジェクト・グループテーブルを表示し、表示オブジェクトの表示位置、表示サイズを変更する。
【００６４】
同様に、タグ番号の設定を変更する場合には、表示画面に表示されたタグ番号の設定を変更し、プラント監視制御システムからデータを受信して表示させる内容を変更する。
【００６５】
このように構成された実施例１に拠れば、グリッドパターンと、高解像度で登録された表示オブジェクトを表示させて、表示位置と表示サイズとを容易に指定することが出来るとともに、その表示画面を視認して画目の良否を確認できる。
【００６６】
さらに、この画面を表示オブジェクト・グループテーブルとして登録可能であるので、初期画面の制作のみならず、変更する場合でも表示オブジェクト・グループテーブルの表示仕様を書き換えることで容易に更新できる。
【００６７】
したがって、保守作業が容易で、且つ、保守履歴も明確になるので品質も向上する。
【実施例２】
【００６８】
次に、図９乃至図１１を参照して、実施例２のプラント監視制御システムの表示装置、及びその表示画面の作成方法について説明する。実施例２の各部について図１に示す実施例１の各部と同一部分は同一符号で示しその説明を省略する。
【００６９】
実施例２が、実施例１と異なる点は、実施例２においては、実施例１の構成において、さらに、記憶部２２に表示オブジェクト優先表示テーブル２２ｅを備え、表示されている表示オブジェクト・グループテーブル２２ｄの１つのグループ名称の表示画面に対して、新たな表示オブジェクトを重ねて表示させ、レイアウト可能な空きスペース（区画）があるか否かを自動的に求めることを可能としたことにある。
【００７０】
この表示オブジェクト優先表示テーブル２２ｅの例を図９に示す。このテーブルには、作成済みのグループ名称の表示画面に追加したい表示オブジェクトを予め登録しておく。
【００７１】
グループ名称がグループ１の表示画面には、１つの表示オブジェクトが、また、グループ名称がグループ２の表示画面２には、２つの表示オブジェクトの表示仕様が記述されている例を記述している。
【００７２】
この表示オブジェクト優先表示テーブル２２ｅの各列は、対象とするループ名の表示画面毎に、表示させたい表示オブジェクトの表示優先順位とその表示仕様が記述される。
【００７３】
表示仕様は、表示オブジェクト・グループテーブル２２ｄの仕様記述欄と同一仕様で、表示位置（先頭の区画番号）、大きさ、表示オブジェクト名称、及びタグ番号が記述される。
【００７４】
そして、この表示オブジェクト優先表示テーブル２２ｅの表示オブジェクトを記述しておき、優先表示の要求をすると、図１１に示すように、表示オブジェクト・グループテーブル２２ｄには、追加表示させたいグループ名称に対する表示オブジェクトの追加表示仕様が、AUTO1、AUTO2に示すようなグループ名称で、各列の対応する区画欄に表示仕様が表示される。
【００７５】
さらに、夫々の転記を要求すると、優先順位順に空き区画の有無を判定し、空き区画があれば、対応するグループ名称の各列、グループ１の列、グループ２の列に自動的に転記されてAUTO1、AUTO2の欄は消去され、空き区画がなければその表示は残る。
【００７６】
空きが無いと判定された場合には、表示オブジェクト優先表示テーブル２２ｅの記述を消去、または表示オブジェクト優先表示テーブル２２ｅの追加表示仕様を再設定して空き区画の有無を要求する。
【００７７】
この表示オブジェクト優先表示テーブル２２ｅの登録、消去、転記等の表示操作機能は、適宜変更しても良い。
【００７８】
次に、このような表示オブジェクト優先表示テーブル２２ｅを備えた表示装置２の動作について図１０を参照して説明する。
【００７９】
表示されているグループ名称の画面において、図示しない画面メニューから優先表示を要求すると、処理部２１ａは、表示オブジェクト優先表示テーブル２２ｅを検索して（ｓ２１）、該当する表示オブジェクトの空きスペース（区画）があるか否かをチェックする（ｓ２２）。
【００８０】
要求の空き区画が有れば、その内容を表示オブジェクト・グループテーブル２２ｄに登録する（ｓ２３）。空き区画がなければ、次の優先表示順位の有無を確認する（ｓ２２）。
【００８１】
表示オブジェクト優先表示テーブル２２ｅに記述された表示オブジェクトがなければ、空き区画の有無を求め（ｓ２３）、表示オブジェクト優先表示テーブル２２ｅのグリッドパターン区画数を記述、表示する（ｓ２４）。
【００８２】
そして、表示された空き区画に対して、新たな表示を追加したい場合には、この表示仕様を記述して、表示オブジェクト優先表示テーブル２２ｅを更新する（ｓ２５）。
【００８３】
このように構成された実施例２の表示装置２に拠れば、追加したい表示オブジェクトの表示が可能か否か、また、空き区画がある場合の新たな表示オブジェクトの登録が容易に行える。
【００８４】
尚、本発明は上述したような実施例に何ら限定されるものでなく、グリットパターンの形状や大きさ、また、表示オブジェクト・グループテーブルの記述仕様は、適用される監視制御システムの構成や監視制御データによって適宜変更しても良く、本発明の趣旨を逸脱しない範囲で適宜変更することが可能である。
【符号の説明】
【００８５】
１  監視制御装置
２  表示装置
３  プラント
２１  表示示処理部
２１ａ  処理部
２１ｂ  操作部
２１ｃ  表示部
２２  記憶部
２２ａ  グリッドパターン
２２ｂ  表示オブジェクトファイル
２２ｃ  表示オブジェクト・タグ番号対応テーブル
２２ｄ  表示オブジェクト・グループテーブル
２２ｅ  表示オブジェクト優先表示テーブル
１００  プラント監視制御システム
【図１】
0005580173.tif 000002
【図２】
0005580173.tif 000003
【図３】
0005580173.tif 000004
【図４】
0005580173.tif 000005
【図５】
0005580173.tif 000006
【図６】
0005580173.tif 000007
【図７】
0005580173.tif 000008
【図８】
0005580173.tif 000009
【図９】
0005580173.tif 000010
【図１０】
0005580173.tif 000011
【図１１】
0005580173.tif 000012
【図１２】
0005580173.tif 000013
【図１３】
0005580173.tif 000014